(57)【特許請求の範囲】
【請求項１】
伝送路からのバースト受信データを入力するバースト受信部と、
該バースト受信部からの出力バースト受信データを入力としてビット同期をとることにより、該バースト受信データに含まれる主信号データを再生データとして出力するバースト受信／同期回路と、を有するバースト受信装置において、
（ｉ）前記バースト受信部からの出力として、前記出力バースト受信データの他に、前記バースト受信部に入力される前記バースト受信データのレベルが予め定めた一定レベルを超えたことを示す受信識別信号を出力するステップと、
（ii）少なくとも前記受信識別信号が出力されるまでは、前記バースト受信部からの出力バースト受信データを前記バースト受信／同期回路に入力することを禁止するステップと、を備えるバースト受信方法であって、
前記ステップ（ｉ）において、前記受信識別信号が出力されたとき、該受信識別信号を一定期間保持するように該受信識別信号をラッチすると共に、
前記ステップ（ii）において、前記伝送路からのバースト受信データが、無信号とクロック抽出用データ列と前記主信号データを１バーストサイクルとする信号パターンを有するとき、前記バースト受信部が前記無信号の信号パターンを入力中は、前記受信識別信号の未出力により、前記出力バースト受信データの前記バースト受信／同期回路への入力を禁止するステップと、
前記バースト受信部が前記無信号の信号パターンに続く前記クロック抽出用データ列を入力中に、該クロック抽出用データ列の一部を、前記受信識別信号が出力を開始したあともマスクして、前記出力バースト受信データの前記バースト受信／同期回路への入力を引き続き禁止するステップとを有することを特徴とするバースト受信方法。
【請求項２】
前記受信識別信号の立ち上がり時間を示す立ち上がり情報を前記バースト受信部において生成し、その立ち上がり時間が短時間であるのに応じて前記のクロック抽出用データ列の一部をマスクする期間も短縮する請求項１に記載のバースト受信方法。
【請求項３】
前記受信識別信号を出力するのに際して保護を設け、該受信識別信号が連続して少なくとも２回出力されたときに初めて該受信識別信号を有効とする請求項１に記載のバースト受信方法。
【請求項４】
前記伝送路からのバースト受信データが、無信号とクロック抽出用データ列と前記主信号データを１バーストサイクルとする信号パターンを有し、前記バースト受信部にて前記クロック抽出用データ列を受信すべきことが予測される位相において前記受信識別信号が出力されないとき、
前記クロック抽出用データ列のＡＬＬ“０”異常または送信側からの該クロック抽出用データ列の送信に故障が発生したことを示す警報を送出する請求項１に記載のバースト受信方法。
【請求項５】
前記伝送路からのバースト受信データが、無信号とクロック抽出用データ列と前記主信号データを１バーストサイクルとする信号パターンを有し、前記バースト受信部にて前記クロック抽出用データ列を受信すべきことが予測される位相において前記受信識別信号が出力されたにもかかわらず、バースト受信／同期回路において前記のビット同期がとれないとき、該クロック抽出用データ列にデータ誤りが発生したことを示す警報を送出する請求項１に記載のバースト受信方法。
【請求項６】
伝送路からのバースト受信データを入力するバースト受信部と、
該バースト受信部からの出力バースト受信データを入力としてビット同期をとることにより、該バースト受信データに含まれる主信号データを再生データとして出力するバースト受信／同期回路と、を有するバースト受信装置であり、かつ
前記バースト受信データのレベルが予め定めた一定レベルを超えたことを示す受信識別信号を出力する受信識別信号生成手段と、
少なくとも前記受信識別信号が出力されるまでは、前記バースト受信部からの出力バースト受信データを前記バースト受信／同期回路に入力することを禁止するマスク手段とを備えるバースト受信装置であって、
前記マスク手段は、前記伝送路からのバースト受信データが、無信号とクロック抽出用データ列と前記主信号データを１バーストサイクルとする信号パターンを有するとき、前記バースト受信部が前記無信号の信号パターンを入力中は、前記受信識別信号の未出力により、前記出力バースト受信データの前記バースト受信／同期回路への入力を禁止すると共に、
前記マスク手段は、前記バースト受信部が前記無信号の信号パターンに続く前記クロック抽出用データ列を入力中に、該クロック抽出用データ列の一部を、前記受信識別信号が出力を開始したあともマスクして、前記出力バースト受信データの前記バースト受信／同期回路への入力を引き続き禁止するものであり、かつ
前記マスク手段は、前記受信識別信号が連続して少なくとも２回出力されたときに初めて当該受信識別信号を有効な受信識別信号として出力する受信識別信号保護部と、受信識別信号適正化部とを有してなり、ここに該受信識別信号適正化部は、前記受信識別信号保護部から出力されさらにラッチされた前記受信識別信号をシフトしてマスク信号とすることを特徴とするバースト受信装置。
【請求項７】
前記マスク手段は有効データ列作成部をさらに有してなり、
該有効データ列作成部は、前記バースト受信部からの出力バースト受信データを第１入力とし、前記受信識別信号の出力タイミングを所定時間遅延させた信号を第２入力とするＡＮＤ回路を含む請求項６に記載のバースト受信装置。
【請求項８】
前記マスク手段は、前記受信識別信号生成手段から出力される前記受信識別信号の立ち上がり時間を検出して出力する立ち上がり時間検出部をさらに有してなり、
前記受信識別信号適正化部は、前記受信識別信号保護部から出力される前記受信識別信号を、前記立ち上がり時間検出部によって検出された前記受信識別信号の立ち上がり時間に相当する分だけシフトする請求項６に記載のバースト受信装置。
【請求項９】
警報検出手段をさらに備えてなり、
該警報検出手段は、前記主信号データの先頭に付加されるクロック抽出用データ列が前記バースト受信／同期回路に到着することが予測される到着位相情報と、該バースト受信／同期回路において前記クロック抽出用データ列によるビット同期が未完であったことを示すビット同期未完情報と、前記受信識別信号が受信識別信号生成手段から出力されたか否かを示す受信識別有無情報の少なくとも３つの情報を入力として、該クロック抽出用データ列の異常受信を判定し外部に通知するための警報を送出する請求項６に記載のバースト受信装置。
【発明の詳細な説明】
【０００１】
【発明の属する技術分野】
本発明はバースト受信方法および装置に関する。
マルチメディア技術の発展に伴い、光ファイバを用いた光通信が急速に普及しつつある。特にこれまでは幹線系すなわち局側の光通信の普及が主体であったが、これからは、ＦＴＴＨ（Ｆｉｂｅｒ  Ｔｏ  Ｔｈｅ  Ｈｏｍｅ）  の実現のために加入者系での光通信の普及が活発化する。本発明は局と複数の加入者端末との間の通信手段、特に局内において、各加入者端末とのインタフェースをなすバースト受信装置について述べるものである。
【０００２】
【従来の技術】
図２５はバースト受信装置が適用されるシステム全体の一例を表す図である。本図において、参照番号１がバースト受信装置であり、加入者系から局２への上り伝送方向の光信号を受信する。この上り伝送方向の光信号は光伝送路およびスターカプラ４を介して行われる。
【０００３】
上記加入者系は複数の加入者端末（＃１，＃２…＃Ｎ）５からなり、各加入者端末５は、相互にコンフリクトしない予め定められたそれぞれのタイムスロットで、それぞれの光送信信号をバースト状に局２内のバースト受信装置１に出力する。
図２６はバースト伝送の様子を図解的に表す図である。本図において、参照番号１，２，３および５を付した構成要素は図２５において既に説明したとおりである。光伝送路３上を、局２内の光バースト受信装置３に向って伝送される光信号は図中ＯＳ（Ｏｐｔｉｃａｌ  Ｓｉｇｎａｌ）として示されており、＃１，＃２および＃Ｎを付した光信号ＯＳはそれぞれ加入者端末（５）内のバースト信号送信装置＃１，＃２および＃Ｎから出力されたものである。なお、局２側から各加入者端末５への下り伝送方向の信号は同一の信号を一斉送信するのが普通であり、各加入者端末５への送信信号の振り分けは、各加入者端末対応のＩＤを該送信信号に付加して行う。
【０００４】
本発明は上述したようなバースト伝送システムに関するものであるが、このようなバースト伝送システムの代表例としてＰＯＮ（Ｐａｓｓｉｖｅ  Ｏｐｔｉｃａｌ  Ｎｅｔｗｏｒｋ）  があり、上述の図２５もこのＰＯＮを表している。ただし本発明はこのようなＰＯＮにおけるバースト受信装置（光バースト受信装置）に限らず、ＣＳＭＡ（Ｃａｒｒｉｅｒ  Ｓｅｎｓｅ  Ｍｕｌｔｉｐｌｅ  Ａｃｃｅｓｓ）方式やＣＤ（Ｃｏｌｌｉｓｉｏｎ  Ｄｅｔｅｃｔｉｏｎ）方式が適用されるＬＡＮ（Ｌｏｃａｌ  Ａｒｅａ  Ｎｅｔｗｏｒｋ）あるいは無線通信ネットワークに用いられるバースト受信装置にも適用可能である。
【０００５】
さらに本発明は、バースト長が固定のパケットあるいはセルを受信するバースト受信装置に適用されるものである。このバースト受信装置は、バースト信号を受信するバースト受信部と、このバースト受信部から出力される出力バースト信号を受信してこの出力バースト信号に対しビット単位で同期をとるためのバースト受信／同期回路と、から基本的に構成される装置である。
【０００６】
かかるバースト受信装置を含む上記のバースト伝送システムは、バースト伝送に固有の動作が要求される。このことは連続伝送システムと対比させると一層明確になる。この連続伝送システムにおいては、通常、伝送路から連続的に受信した受信データに対するリタイミング動作（連続伝送システムにおける受信側でのビット同期のとり直し）を、ＰＬＬ等を内蔵する受信部において行っている。この受信部は一般にＢ／Ｕ  ＭＤＬ（Ｂｉｐｏｌａｒ  ／Ｕｎｉｐｏｌａｒ  ｍｏｄｕｌｅ）あるいは光ＭＤＬ（ｍｏｄｕｌｅ）として知られている。このように、連続的に受信される受信データについては、ＰＬＬ等を内蔵した上記受信部により、容易にリタイミングを行うことができる。
【０００７】
ところが伝送路から間欠的に与えられるバースト状の受信データを扱うバースト伝送システムにおいては、該受信データに対するリタイミングを行うことは、上記の連続伝送の場合程容易ではない。なぜならバースト伝送の場合には、バースト受信データがバースト受信部に入力される都度、きわめて短時間のうちに、そのバースト受信データを打ち抜くための最適位相を検出しなければならないからである。
【０００８】
このような高速な最適位相の検出は、上記Ｂ／Ｕ  ＭＤＬや光ＭＤＬ等よりなるバースト受信部では困難であり、通常はこのバースト受信部の後段に設けられた上記のバースト受信／同期回路により行っている。そして、バースト受信データの主要部をなすバースト主信号データの先頭に付加されたクロック抽出用データ列（いわゆるプリアンブル）を、上記バースト受信／同期回路により、検出することによってバースト受信データに対する上記のリタイミングを行っている。
【０００９】
ここで再び図２６を参照すると、
（１）本図のネットワークが、上記の無線通信ネットワークの場合は、上り伝送方向の信号（図中のＯＳに相当する無線パケットまたはセル）の、バースト受信装置１の入力におけるレベルは、各加入者端末毎の無線伝送路の距離に応じて高低変動する。一方、
（２）本図のネットワークが、光通信に代表される有線（ファイバ）通信ネットワークの場合は、上り伝送方向の信号（光信号ＯＳ等）の、バースト受信装置１の入力におけるレベルは、各加入者端末５毎のファイバ長の長短に応じて高低変動する。
【００１０】
かかる、バースト伝送システムに固有の性質に鑑み、この固有の性質に適合させたバースト受信装置が一般に採用されている。
図２７は一般的なバースト受信装置の一例を示すブロック図である。なお、以下の説明は、上記の無線および有線通信ネットワークのうち、後者の有線通信ネットワークの場合、特にファイバを用いた光通信ネットワークの場合を例にとって行う。したがって本図に示す一般的なバースト受信装置１は、光バースト受信装置である。
【００１１】
バースト受信装置１は、光伝送路よりバースト受信データを、バースト受信部１０にて受ける。このバースト受信部１０は光／電気変換器（Ｏ／Ｅ）を含み、その出力は次段のバースト受信／同期回路２０に入力され、目的とする再生データを得る。
バースト受信／同期回路２０をさらに詳しく説明すると、該回路２０は図示するとおり、サンプリング部２１と、エッジ検出部２２と、最適位相検索部２３と、保護段２４と、セレクタ２５とからなる。
【００１２】
サンプリング部２１は、バースト受信部１０から出力されたバースト受信データを入力とし、サンプリングを行う。バースト受信データは前述のとおり、バースト主信号データ（例えば５３バイトのセル）とその先頭に付加されるクロック抽出用データ列とからなり、サンプリング部２１はまずその先頭のクロック抽出用データ列をサンプリングする。このデータ列は通常、“１”“０”ビットの交番データであり例えば１６ビット長である。ビット同期をとるに際しては、その“１”→“０”へのデータの変化点および“０”→“１”へのデータの変化点を捉え、両変化点のほぼ中間位相をビット同期の最適位相として検出する。つまりバースト受信データにビット同期させるのに最適なバースト受信装置１のマスタークロックの位相を検出する。これらのデータの変化点はすなわちデータの切り替わりのエッジであり、図２７のエッジ検出部２２がそのエッジの検出を行う。
【００１３】
そのエッジ検出のために上記サンプリング部２１は、上記マスタークロックとして上記“１”“０”ビットの交番データのビットレートを例えば８逓倍したクロックを用いて、クロック抽出用データ列をサンプリングする。したがって上記エッジ検出部２２は、その８逓倍したクロックの各々によりサンプリングした相互に位相のずれた８種のエッジ検出結果を出力する。
【００１４】
そのエッジ検出結果は図２７の最適位相検索部２３に印加され、ここで“１”→“０”および“０”→“１”のデータの変化点（エッジ）を生じさせる１つのクロックすなわち上記の最適位相のクロックを抽出する。
最適位相検索部２３による検索結果は常に信頼できるものとは限らない。なぜならクロック抽出用データ列は常に理想のデューティ１００％を維持している保証はなく、また、そのデータ列にノイズが含まれることもあるからである。
【００１５】
そこで図２７の保護段２４において、一層確からしい最適位相の検索結果を特定する。通常、同一の最適位相の検索結果が２回連続して出現したときに、これを確からしい最適位相としている。
かくして図２７のセレクタ２５は、サンプリング部２１からパラレルに出力される、相互に位相のずれた８種のサンプリングデータのうち、保護段２４により指定された１つのサンプリングデータすなわちビット同期のとれたサンプリングデータを選択する。このサンプリングデータ中の上記主信号データをもって、目的とする再生データとする。
【００１６】
【発明が解決しようとする課題】
上述した説明は、図２７において、バースト受信部１０からバースト受信／同期回路２０に与えられるバースト受信データがほぼ理想的な信号である、との前提で行った。
ところがバースト伝送の場合にはそのような理想的なバースト受信データを常に得ることはきわめて困難である。図２７のバースト受信部１０に伝送路から入力される１サイクルのバースト受信データのフォーマットは一般に、“無信号”（ガード）＋“クロック抽出用データ列”＋“主信号データ”というようになっている。後二者のデータは既に説明したとおりであるが、初めの“無信号”（ガード）は、第ｎ番目（ｎ＝１，２，３…）のバースト受信データと第（ｎ＋１）番目のバースト受信データとの間にコリジョン（ｃｏｌｌｉｓｉｏｎ）を生じないように挿入された伝送路上のスペース部分である。このようなスペース部分がないと、図２６において、例えば光信号ＯＳ（＃１）を出力する加入者端末５が局２から遠方にあり、しかも、光信号ＯＳ（＃２）を出力する加入者端末５が局２に近いところにあるような場合には、両バースト間に生ずるコリジョンを回避することができない。
【００１７】
図２７のバースト受信部１０に着目すると、次の２つの問題がある。
▲１▼  該受信部１０から出力されるバースト受信データのうち、上記無信号（ガード）に相当する部分にノイズが含まれることがある、という問題と、
▲２▼  該受信部１０から出力されるバースト受信データのうち、上記クロック抽出用データ列にデューティ１００％を外れるビット列が含まれることがある、という問題である。
【００１８】
上記▲１▼の問題は、バースト受信部１０内の“１”“０”判定手段における閾値誤りが１つの原因であると考えられ、その結果、該受信部１０自体より回路ノイズが不可避的に送出されてしまう。
上記▲２▼の問題は、図２６に示すように光信号ＯＳ（＃１）と次の光信号ＯＳ（＃２）との間に大きなレベル変動（受信光レベルの強弱）があると、光信号ＯＳ（＃２）については特に“０”ビットの再生が正常に行われないという公知の現象に起因するものと考えられ、クロック抽出用データ列は本来デューティ１００％の“１”“０”ビットの交番データであるべきところ、そのデューティが１２０％以上あるいは８０％以下となってしまう。これはバースト受信／同期回路２０における動作可能範囲外のデューティである。
【００１９】
上記▲１▼および▲２▼の問題のいずれが生じたとしても、バースト受信装置１に誤動作を生じ、正常な再生データは得られないという問題がある。
したがって本発明は、上記問題点に鑑み、正確な動作を保証することのできるバースト受信方法および装置を提供することを目的とするものである。
しかも上記問題点に起因して、バースト伝送の実運用上考え得るあらゆる障害が発生したとしても、できる限り正確な動作を保証することのできるバースト受信方法および装置を提供することを目的とするものである。
【００２０】
【課題を解決するための手段】
まず初めに前述した問題▲１▼および▲２▼を生じさせる状況を図を用いて説明する。
図１はバースト受信装置の入力および出力信号であって、（Ａ）は理想的な場合、（Ｂ）は実際的な場合を示す信号パターン図である。
本図（Ａ）を参照すると、１）欄はバースト受信部１０への入力信号、すなわち光のバースト受信データであり、２）欄はそのバースト受信部１０からの出力信号、すなわち光／電気変換後のバースト受信データである。いずれも１バーストサイクル分について示す（図２６におけるＯＳ（＃１），ＯＳ（＃２）…ＯＳ（＃Ｎ）の各々）。なお、１サイクルのバースト受信データが、“無信号”（ガード）と“クロック抽出用データ”と“主信号データ”（本来の伝送情報）とからなることは既述のとおりである。
【００２１】
図１（Ａ）と対比して図１（Ｂ）を参照すると、バースト受信部１０に固有の諸特性に起因して、実運用上は該バースト受信部１０からの出力バースト受信データには同図（Ｂ）の２）欄に示すとおり、無信号（伝送路上のスペース部分）のときにはノイズＮＳ（右下がりハッチングで示す）が含まれ、クロック抽出用データ列には異常デューティビットＤＢ（左下がりハッチングで示す）が含まれる可能性がきわめて高い。そうすると、ノイズＮＳによって誤ったビット同期動作を開始させてしまうおそれがある。また異常デューティビットＤＢによって正確なビット同期がとれなくなるおそれがある。そこで本発明は以下に説明する受信方法を提供する。
【００２２】
図２は本発明に基づく受信方法の基本ステップを表すフローチャートである。
この受信方法が適用されるバースト受信装置は、図２７に示すごとく、伝送路からのバースト受信データを入力するバースト受信部１０と、該バースト受信部１０からの出力バースト受信データを入力としてビット同期をとることにより、該バースト受信データに含まれる主信号データ（図１参照）を再生データとして出力するバースト受信／同期回路２０と、を有するバースト受信装置である。
【００２３】
図２において特にステップＳ１およびＳ２が本発明の特徴をなす。ステップＳ３は実質的に従来と変わらない。ステップＳ１およびステップＳ２は、次のとおりである。
ステップＳ１：バースト受信部１０からの出力として、本来の出力バースト受信データの他に、バースト受信部１０に入力されるバースト受信データのレベルが予め定めた一定レベルを超えたことを示す受信識別信号を出力する。
【００２４】
ステップＳ２：少なくとも上記受信識別信号が出力されるまでは、バースト受信部１０からの出力バースト受信データをバースト受信／同期回路２０に入力することを禁止する。
図１に示した信号パターンを例にとれば、伝送路からのバースト受信データが、無信号とクロック抽出用データ列と主信号データを１バーストサイクルとする信号パターンを有するとき、バースト受信部１０が無信号の信号パターンを入力中は、上記受信識別信号の未出力により、出力バースト受信データのバースト受信／同期回路２０への入力を禁止する。これを図で表すと図４のようになる。
【００２５】
図３は本発明に係る受信方法を図解的に表す信号パターン図である。本図の１）および２）欄は図１（Ｂ）とほぼ同じである。本図の３）欄は、図２のステップＳ１に基づき生成された受信識別信号ＲＤである。そして本図の４）欄は、図２のステップＳ２に基づき、バースト受信／同期回路２０への出力バースト受信データの入力を、受信識別信号が発生するまで禁止するマスク信号ＭＫである。
【００２６】
図４は本発明に係る受信方法を図解的に示す別の信号パターン図である。
図１（Ｂ）および図３に示すように、伝送路からのバースト受信データが、無信号とクロック抽出用データ列と主信号データを１バーストサイクルとする信号パターンを有する。ここにバースト受信部１０が無信号の信号パターンに続くクロック抽出用データ列を入力中に、該クロック抽出用データ列の少なくとも一部が異常データである可能性があるときは、本図の３）および４）に示すように、受信識別信号ＲＤが出力を開始したあともその異常データをマスクする期間（Ｔ）、出力バースト受信データのバースト受信／同期回路２０への入力をマスク信号ＭＫにより引き続き禁止する。
【００２７】
【発明の実施の形態】
図５はバースト伝送上考え得る第１の障害が発生した場合の信号パターン図である。この第１の障害は、例えばバースト信号送信装置（図２６）の故障に起因して、バースト信号の送信時にクロック抽出用データ列の大部分が失われる（図５の１）欄参照）、という障害である。
【００２８】
このようにクロック抽出用データ列の大部分がＡＬＬ“０”になってしまうと、バースト受信部１０は、図５の２）欄に示すように、ＡＬＬ“０”に相当する期間中もノイズＮＳを出力し続けることになる。このような出力バースト受信データ（ノイズＮＳ）を次段のバースト受信／同期回路２０に入力すると、図５の２）欄中、○印で示すような保護のモードが生じることもあり得る。すなわち、図２７の保護段２４において、２回連続で最適位相検索部２３による最適位相の検索が行われたものと、すなわち保護がとれたものと判断されたが（Ａ参照）、その次には保護がとれないと判断される（Ｂ参照）、という保護のモードである。
【００２９】
この場合、上記Ａにて保護がとれたものと判断されるが、この判断は図示するとおり本来のクロック抽出用データ列についてではなく、ノイズＮＳに対して行われたのであるから、上記Ａの保護の認定によって受信バースト受信データのビット同期を行ってもそのビット同期の信頼度はきわめて低い。すなわち正しいリタイミングが行われていない可能性が大である。この結果いわゆるデータ化けが生じることになる。なぜなら、データをサンプリングする際のセットアップ・ホールドマージンがとれたからである。
【００３０】
一方、上記Ａによる保護のケースに続いてＢのケースが生じているが、このＢのケースのときの図中第３番目の最適位相の検索は信頼性が高い。なぜならこの検索はノイズＮＳから外れた本来のクロック抽出用データ列に対して行われているからである。しかし、信頼性が高いにもかかわらず、最終的に最適位相としては採用されない。なぜなら、クロック抽出用データ列が短く２回連続して当該検索が行えず、保護がとれなかったからである。
【００３１】
上記のようなケースでは同時に次のような不都合ももたらす。上記のケースでは結局リタイミングに失敗する。そして局２の保守者に対しては通常のバーストデータ受信ができなかった、という異常通知がなされる。しかしながら、当該リタイミング失敗の真の原因は、バースト信号送信装置の故障かあるいは伝送路上の障害にあるのであって、単なるバースト受信エラーではない。この真の原因を保守者に正しく通知できないのが上記ケースにおける不都合である。
【００３２】
本発明は上述した第１の障害が発生したとしても、可能な限りバースト受信装置を正確に動作させることができる。これを図６を参照して説明する。
図６は図５に示す第１の障害に対処する本発明の方法を説明する信号パターン図である。なお、本図の１）および２）欄は、図５の１）および２）欄と同じであり、また本図の３）および４）欄は、既述した図４の３）および４）欄に相当する。
【００３３】
本発明によれば、受信識別信号ＲＤが出力されるまでは（図６の３）欄）、マスク信号ＭＫが該信号ＲＤの反転信号として存在する（図６の４）欄）。そこでこのマスク信号ＭＫによって、バースト受信データの無信号時のみならず、クロック抽出用データ列がＡＬＬ“０”として失われてしまっている期間中までも、バースト受信部１０からバースト受信／同期回路２０への出力バースト受信データの入力を禁止するようにする。
【００３４】
これによりそのＡＬＬ“０”の期間中に現れるノイズＮＳに対し誤ってビット同期をとるという上述の問題は回避される。
さらに加えて、わずかに残った正常なクロック抽出用データ列に対して少なくとも１回、上記の最適位相の検索が行える可能性がある（図５の４）欄の○印参照）。ここで注意すべきことは、この○印を付した部分は本来のクロック抽出用データ列の後半にあり、“１”“０”交番のビットパターンが非常に安定していることである。そうすると、前述した保護段２４による保護動作をこの場合は省略し、例え１回の最適位相の検索であっても、当該１の最適位相をもってセレクタ２５により上述のマスタークロックの選択を行っても実運用上は差し支えはない。この場合、無信号時を超えて続くマスク信号ＭＫにより保護段２３の動作を休止させる。マスク信号が無信号時を超えて長く続いているか否かは、容易に判定できる。例えば既述のＰＯＮにおいては、局２が各加入者端末５に対し、どのタイムスロットを使用すべきか、すなわちどの加入者端末がどのタイムスロットを使うか、というシステム情報を予め各加入者端末に与えている。したがって、そのタイムスロット内のどのようなタイミングでクロック抽出用データ列が始まるか、ということも局２は知っている。これを利用すれば、マスク信号ＭＫがクロック抽出用データ列の開始から長く続いているか否かは容易に判定できる。
【００３５】
図７はバースト伝送上考え得る第２の障害が発生した場合の信号パターン図である。なお、本図の１）〜４）欄は、図６の１）〜４）欄に相当しているが、実質的には図４の１）〜４）欄と同じである。
図５（第１の障害ケース）の場合は、クロック抽出用データ列の大半が何らかの故障により失われＡＬＬ“０”になる、という障害ケースであるが、図７においては、そのクロック抽出用データ列の先頭部分が正常ではないというケースを表している。既述したようにクロック抽出用データ列の先頭部分は“１”“０”交番のビットパターンが不安定であり、バースト受信／同期回路２０が正常にビット同期動作可能な範囲外のデューティとなる（図７の２）欄のＤＢ）。
【００３６】
そうすると、受信識別信号ＲＤが立ち上がったと同時にマスク信号ＭＫをディセーブルとすると、バースト受信／同期回路２０は、異常デューティビットＤＢのところでリタイミング動作を開始してしまう。
このような場合、その異常デューティビットＤＢの期間内に最適位相の検索が行われ、しかも保護もとれてしまうということがあり得る（図７の４）欄における第１の最適位相検索“ａ”および第２の最適位相検索“ｂ”参照）。かかる２回の検索による保護がとれても（図中のＡ）、正確に保護がとれたとは言えない。また、その後、本来の安定したクロック抽出用データ列において最適位相の検索（図中の“Ｃ”参照）が行われると、これは正確な検索であることはほぼ間違いない。しかし、その直前の検索“ｂ”と検索結果の内容が一致しないから保護がとれず（図中のＢ）、結局、バースト受信装置１は正確に動作しないことになる。そこで本発明に基づき、図８のように対処する。
【００３７】
図８は図７に示す第２の障害に対処する本発明の方法を説明する信号パターン図である。本図の見方は、前述の図６と全く同じである。
図８における４）欄に示すように、本発明によればマスク信号ＭＫのディセーブルのタイミングを、受信識別信号ＲＤの立ち上がりから少し遅らす。これにより異常デューティビットＤＢを十分にマスク可能となり、バースト受信／同期回路２０は安定した本来のクロック抽出用データ列の部分のみを用いてリタイミング動作を実行できることになる。図８では、２回の最適位相の検索“ａ”および“ｂ”の各結果が一致して保護がとれた様子を示す。なお、異常デューティビットＤＢのビット数は一般に５ビット程度である。
【００３８】
さらに図７の３）欄に示す受信識別信号ＲＤの立ち上がりと、図８の３）欄の同信号ＲＤの立ち上がりを見比べると、後者の場合には、同信号ＲＤの立ち上がりがクロック抽出用データ列の先頭からΔｔだけ遅延していることを示している。この理由は次のとおりである。
受信識別信号ＲＤについて見ると、該信号ＲＤは常にクロック抽出用データ列の先頭時にのみ発生するという保証はない。何らかの要因でバースト受信部１０内に発生したノイズを受信識別信号と見誤ることもある。
【００３９】
そこで、受信識別信号ＲＤを出力するのに際して保護を設け、該受信識別信号ＲＤが連続して少なくとも２回出力されたときに初めて該受信識別信号を有効とするようにする。この保護動作に要する遅延を表したのが、上述のΔｔである。
さらに受信識別信号ＲＤについて見ると、該信号ＲＤ自体の立ち上がりの揺らぎという問題がある。これを図９を参照しながら説明する。
【００４０】
図９は受信識別信号についての問題を説明するための信号パターン図である。クロック抽出用データ列の先頭をバースト受信部１０で検出し、受信識別信号ＲＤを本図３）のｄにおいて出力したものとする。このｄの後、異常デューティビットＤＢをマスク可能な時間分ｄより遅延させてマスク信号ＭＫをディセーブルする。しかしこの遅延時間が短いと、本図の４）欄に示すようにマスクし切れない異常デューティビットＤＢが残りバースト受信／同期回路２０は正常にリタイミングを行えない。そこで、その遅延時間は、異常デューティビットＤＢを十分マスクするに十分な時間を要する。
【００４１】
一方、受信識別信号ＲＤ自体の立ち上がりについて考察してみると、実際には常に図９の３）における時間ｄで立ち上がるとは限らない。すなわち実際には同図の３）においてｅで示す時間まで遅れて信号ＲＤが立ち上がることが判明した。つまり受信識別信号ＲＤの立ち上がりの揺らぎである。この揺らぎは例えば１ビット〜５ビットの幅で生ずる。
【００４２】
この結果、バースト受信／同期回路２０に与えるマスク信号ＭＫのディセーブルのタイミングを、最悪の上記時間ｅから定めるのが最も安全である、ということになる。つまり上記の時間ｅ＋上記の遅延時間が経過したときにマスク信号のディセーブルを行うのが望ましいということになる。
そうすると、図９の４）欄を参照すると、ＤＢの終了後時間ｔだけ過ぎたところでマスク信号ＭＫはディセーブルされることになる。この場合、時間ｔの期間は既に安定したクロック抽出用データ列の中に入っていることから、該安定したデータ列をリタイミング動作に取り込むことなく無駄に捨ててしまうことになる。
【００４３】
図１０は図９に表した問題を解決する本発明の方法を説明するための信号パターン図である。この解決方法の基本的な考え方は、受信識別信号ＲＤの立ち上がり時間を示す立ち上がり情報をバースト受信部１０において生成し、その立ち上がり時間が短時間であるのに応じて異常データをマスクする期間も短縮する、というものである。ここにいう異常データとは、例えば上述した異常デューティビットＤＢのことである。
【００４４】
上記の考え方における、立ち上がり時間を示す立ち上がり情報は、図１０の４）欄において立ち上がり情報ＩＲとして図示されており、この例における立ち上がり時間は１ビットである。つまり、受信識別信号ＲＤはクロック抽出用データ列の１ビット分の時間だけ、その立ち上がりが遅れていることを表す。これは一例であって、例えば立ち上がりに１０ビット分の時間を要するということもあり得る。
【００４５】
このように立ち上がり情報ＩＲによって立ち上がり時間をバースト受信／同期回路２０に通知することにより、該回路２０はこの立ち上がり時間に見合った最小の時間分出力バースト受信データをシフトしてからリタイミング動作に入ればよく、このとき失われるであろう安定したクロック抽出用データ列のビット数は最小で済むことになる。
【００４６】
上記受信識別信号ＲＤにはさらに問題がある。これを図１１を用いて説明する。
図１１は受信識別信号に関する別の問題を説明するための信号パターン図である。バースト受信部１０において生成される受信識別信号ＲＤは、バースト受信／同期回路２０に対してリタイミング動作を実行すべき旨の指令でもある。したがってこの指令（ＲＤ）がリタイミング動作中に消失することはバースト受信装置１の誤動作につながる。
【００４７】
図１１の３）欄を参照すると、受信識別信号ＲＤが例えば時間ｆにて消失してしまっている。かかるケースの発生は確率としては少ないものの、重大な事故につながるので対策を要する。図１１の３）および４）欄を参照すると、上記の時間ｆより以降において、クロック抽出用データ列の後尾部分が欠落し、したがって本来の主信号データも欠落してしまう。
【００４８】
図１２は図１１に表した問題を解決する本発明の方法を説明するための信号パターン図である。この解決方法の基本的な考え方は、受信識別信号ＲＤが出力されたとき、この受信識別信号ＲＤの出力を一定期間を保持するように該受信識別信号をラッチする、というものである。
図１２における３）および４）欄を参照すると、４）欄の信号ＲＤ′は、３）欄の本来の受信識別信号ＲＤをラッチして生成される受信識別信号である。この信号ＲＤ′により、同図の５）欄に示すとおり、バースト受信／同期回路２０へのデータの供給は途絶えることがない。なお、ラッチされた上記信号ＲＤ′は同図の４）欄に示すリセットＲＳＴにより解除される。例えば前述したＰＯＮ等では、かかるリセット信号ＲＳＴは局２内でもともと必要な信号であるから、この信号を流用してラッチの解除を行えばよい。
【００４９】
図１３はバースト受信装置における第３の障害およびこれを解消する本発明の方法を説明する信号パターン図である。本図の２）欄に示すような異常状態が発生した場合、バースト受信装置１は当然動作不能となるが、従来はこのような異常状態がいかなる原因で発生したのかまで分析した警報を出すことができず、復旧に遅れが出るという問題があった。
【００５０】
しかし本発明のもとでは、異常状態の発生要因まで明らかにした警報を出すことが可能となる。この方法は、伝送路からのバースト受信データが、無信号とクロック抽出用データ列と主信号データを１バーストサイクルとする信号パターンを有し、バースト受信部１０にてクロック抽出用データ列を受信すべきことが予測される位相において受信識別信号ＲＤが出力されないとき、クロック抽出用データ列のＡＬＬ“０”異常または送信側からの該クロック抽出用データ列の送信に故障が発生したことを示す警報を送出する、というものである。
【００５１】
図１３の５）欄に示すＷは、クロック抽出用データ列が到着することが予測される位相、すなわちウィンドウを表す。既に述べたように、例えばＰＯＮ等においては、どの加入者端末からはどの位相でクロック抽出用データ列を送信すべきか局２が予め各加入者端末にシステム情報として通知しているので、上記ウィンドウＷの位置は、局２内のバースト受信装置１は当然認識している。
【００５２】
ウィンドウＷの範囲を出て始めて受信識別信号ＲＤが出力されるということは、少なくともウィンドウＷ内においてクロック抽出用データ列が実質的に存在しないということであり、クロック抽出用データ列がＡＬＬ“０”かまたは送信側の故障で該データ列が送信されていない、という異常状態であることが分かる。図１３の４）欄は、上記の異常状態には該当しない一例を示しており、ウィンドウＷ内で受信識別信号ＲＤが立ち上がったときは、少なくとも上述したＡＬＬ“０”の異常あるいは送信異常には該当しない。
【００５３】
図１４はバースト受信装置における第４の障害およびこれを解消する本発明の方法を説明する信号パターン図である。本図の２）欄に示すような異常状態が発生した場合、バースト受信装置１は当然動作不能となるが、従来はこのような異常状態がいかなる原因で発生したのかまで分析した警報を出すことができず、復旧に遅れが出るという問題があった。
【００５４】
しかし本発明のもとでは、異常状態の発生要因まで明らかにした警報を出すことが可能となる。この方法は、伝送路からのバースト受信データが、無信号とクロック抽出用データ列と主信号データを１バーストサイクルとする信号パターンを有し、バースト受信部１０にてクロック抽出用データ列を受信すべきことが予測される位相において受信識別信号ＲＤが出力されたにもかかわらず、バースト受信／同期回路２０においてビット同期がとれないとき、該クロック抽出用データ列にデータ誤りが発生したことを示す警報を送出する、というものである。
【００５５】
図１４の５）欄に示すように、今クロック抽出用データ列を受信することが予測される位相、すなわちウィンドウＷ内にあるものとする。そしてこのウィンドウＷ内において、受信識別信号ＲＤが立ち上がっているものとする（同図の３）欄参照）。このような場合において、同図の２）欄に示すごとく、最適位相の検索について保護がとれず、結局、バースト受信／同期回路２０でのリタイミングに失敗したときは、クロック抽出用データ列自体は現れているので、このデータ列の中身にデータエラーがあることが十分予想される。そこで上記の警報を送出することができる。
【００５６】
図１５は異常状態ではない場合の図１４の信号パターン図である。この場合は、同図の２）欄に示すとおり最適位相の検索“ａ”および“ｂ”の間に保護がとれており、バースト受信／同期回路２０でのリタイミング動作は正常に行われる。
上述した本発明に基づくバースト受信方法を実施するためのバースト受信装置について以下に説明する。このバースト受信装置は本発明に基づく一実施例である。
【００５７】
図１６は本発明に基づくバースト受信装置の一実施例を示すブロック図である。その基本となる構成は、伝送路からのバースト受信データＤｉｎを入力するバースト受信部１０と、該バースト受信部１０からの出力バースト受信データＢｏｕｔ  を入力としてビット同期をとることにより、該バースト受信データに含まれる主信号データを再生データＤｏｕｔ  として出力するバースト受信／同期回路２０と、を有するバースト受信装置１である。
【００５８】
ここに本発明の特徴をなす構成要素は、バースト受信データＢｏｕｔ  のレベルが予め定めた一定レベルを超えたことを示す受信識別信号ＲＤを出力する受信識別信号生成手段３１と、
少なくとも受信識別信号ＲＤが出力されるまでは、バースト受信部１０からの出力バースト受信データＢｏｕｔ  をバースト受信／同期回路２０に入力することを禁止するマスク手段３２である。
【００５９】
図１７は図１６に示す実施例の具体例構成例を示す回路図である。本図において図１６のマスク検出手段３２は、一例として、受信識別信号保護部４１と、受信識別信号適正化部４２、有効データ列作成部４３と、立ち上がり時間検出部４４から構成される。
図１７においてはさらに、既述した警報を送出するための警報検出手段３３と、バースト信号処理部４５も示されている。
【００６０】
上述のとおりマスク手段３２は有効データ列作成部４３を有してなり、該作成部４３は、バースト受信部１０からの出力バースト受信データＢｏｕｔ  をマスク信号ＭＫに応じてバースト受信／同期回路２０へ転送する。
マスク手段３２をなす受信識別信号保護部４１は、受信識別信号ＲＤが連続して少なくとも２回出力されたときに初めて当該受信識別信号を有効な受信識別信号として出力する。さらにこれを次段の受信識別信号適正化部４２に供給する。
【００６１】
また上述のとおりマスク手段３２は、受信識別信号生成手段３１から出力される受信識別信号ＲＤの立ち上がり時間を検出して出力する立ち上がり時間検出部４４および上記の受信識別信号適正化部４２を有しており、この受信識別信号適正化部４２は、受信識別信号保護部４１から出力される受信識別信号ＲＤを、立ち上がり時間検出部４４によって検出された受信識別信号ＲＤの立ち上がり時間に相当する分だけシフトする。この受信識別信号ＲＤの立ち上がり時間は、既述の立ち上がり情報ＩＲに含まれる（図１０参照）。
【００６２】
また上述のとおり、バースト受信装置１は警報検出手段３３をさらに備えており、この警報検出手段３３は、主信号データの先頭に付加されるクロック抽出用データ列がバースト受信／同期回路２０に到着することが予測される到着位相情報Ｐと、バースト受信／同期回路２０においてクロック抽出用データ列によるビット同期が未完であったことを示すビット同期未完情報Ｑと、受信識別信号ＲＤが受信識別信号生成手段３１から出力されたか否かを示す受信識別有無情報Ｒの少なくとも３つの情報を入力として、そのクロック抽出用データ列の異常受信を判定し外部に通知するための既述した警報ＡＬＭを送出する（図１３および図１４参照）。
【００６３】
図１８は図１７に示すバースト信号処理部４５の要部を表す図（その１）、
図１９は同図（その２）である。
図１８はＰＧデコーダ（Ｐｕｌｓｅ  Ｇｅｎｅｒａｔｏｒ  デコーダ）５１を示し、既に述べたバースト受信装置１内のマスタークロックＣＬＫｍ  を計数する自走カウンタ６１と、このカウンタ６１からの計数値をデコードするデコーダ６２とを有してなり、このデコーダ６２からの種々のデコード出力は対応する各ブロック（図１７の各ブロック４１，４２，４３…等）へ、各々のタイミング信号Ｕとして供給される。
【００６４】
図１９はリタイミング回路５２を示す。リタイミング回路５２はＤ−ＦＦ６３からなり、そのデータ入力Ｄにはバースト受信／同期回路２０からの再生データＤｏｕｔ  が印加され、そのクロック入力ＣＫには上記のマスタークロックＣＬＫｍ  が印加される。
上記再生データＤｏｕｔ  には若干の位相ジッタが残留しているので、このＤｏｕｔ  をリタイミング回路５２に入力して、完全にマスタクロックＣＬＫｍ  に同期した再生データＤｏｕｔ  ′を得る。
【００６５】
図２０は図１７に示す有効データ列作成部４３の詳細例を表す図である。この有効データ列作成部４３は、バースト受信部１０からの出力バースト受信データを第１入力とし、受信識別信号ＲＤの出力タイミングを所定時間遅延させた信号Ｓを第２入力とするＡＮＤ回路６４を含んで構成される。
上記の信号Ｓは図１７に示す受信識別信号適正化部４２からのマスク信号ＭＫであってもよいし、また図２０に示すように、受信識別信号ＲＤに対して所定の処理を加えた信号でもよい。この所定の処理とは、ＲＤに遅延を与えるシフトレジスタ６６およびその出力を受けるＤ−ＦＦによる処理である。Ｄ−ＦＦ６５は、ＰＧデコーダ５１（図１８）からの各種タイミング信号Ｕの１つであるラッチタイミング信号Ｕ１をそのイネーブル入力Ｅに受け、シフトレジスタ６４の出力をそのデータ入力Ｄに受けると共に、リセット信号ＲＳＴによりリセットされる。このリセット信号ＲＳＴは図１２の４）欄に示すとおりであり、各種タイミング信号Ｕ（図１８）の１つとして与えられる。
【００６６】
図２１は図１７に示す受信識別信号適正化部４２の詳細例を示す図である。本図において受信識別信号適正化部４２は、シフトレジスタ７１およびセレクタ７２からなる。
シフトレジスタ７１は、受信識別信号保護部４１を経由した受信識別信号ＲＤを入力とし、１ビットずつ位相シフトしたｎ種の信号ＲＤを出力する。これらｎ種の信号ＲＤは、次段のセレクタ７２においてそのいずれか１つが選択される。どれを選択するかは、立ち上がり時間検出部４４（図１７）からの立ち上がり情報ＩＲに従って定められ、選択された１つの信号ＲＤが、マスク信号ＭＫとして、有効データ列作成部４３に印加される。立ち上がり情報ＩＲは図１０の４）欄において説明したとおりである。
【００６７】
図２２は図１７に示す受信識別信号保護部４１の詳細例を示す図である。この保護部４１は図示するとおり多段従属接続されたＤ−ＦＦ群７３とＡＮＤ回路７４とからなる。
Ｄ−ＦＦ群７３は受信識別信号ＲＤをマスタークロックＣＬＫｍ  に同期してその出力側にシフトする。全てのＦＦから論理“１”の信号ＲＤが出力されると、ＡＮＤ回路７４からの出力は保護のとられた受信識別信号ＲＤになる。この場合、保護段数として２段で十分ならば、ＦＦは２個で良い。
【００６８】
図２３は図１７に示す警報検出手段３３の具体例を示す図である。本手段３３は図示するとおり、ＡＮＤ回路７５およびＤ−ＦＦ７６からなる。
ＡＮＤ回路７５は情報Ｐ，ＱおよびＲを入力とする。これらの情報は図１７を参照して説明したとおりであり、これらによって定まるＡＮＤ回路７５の出力は、Ｄ−ＦＦ７６のデータ入力Ｄに印加され、他方そのイネーブル入力Ｅは、図１８に示す各種のタイミング信号Ｕの１つであるラッチタイミング信号Ｕ２を入力とする。
【００６９】
図１３または図１４で説明した条件（Ｐ，ＱおよびＲ）が成立すると、警報ＡＬＭが送出され、クロック抽出用データ列の異常が外部に通知される。
図２４は図１７に示すバースト受信部１０の具体例を示す図である。ホトダイオードＰＤにおいて受けたバースト受信データＤｉｎ（光信号ＯＳ）は電気信号に変換された後、図示する各回路要素８１〜８８にて処理される。参照番号８１はプリアンプ、８２はメインアンプ、８３は出力バッファ、８４はピーク検出部、８５はＤＣフィードバック部、８６は１／２分割器、８７、８８−ａ１，８８−ａｎはメインアンプ、８７−１は出力バッファ、８８はテーブル、８８−ｂ１，ｂｎは出力バッファである。
【００７０】
これらの回路要素において、ＰＤにて受信した光信号は電流に変換されて、プリアンプ８１に送られ、プリアンプ８１において電圧信号に変換される。この電圧信号からピーク検出部８４で“１”レベルの電圧を検出し、ＤＣフィードバック部８５で“０”レベルの電圧を検出する。なお、バースト受信毎にこのレベル検出結果の電圧値は変動する（バースト受信毎に光レベルが異なるため）。
【００７１】
ピーク検出部８４での“１”レベルの電圧値と、ＤＣフィードバック部８５での“０”レベルの電圧値との差分を１／２とする１／２分割器８６において、最終的なデータを“０”とすべきか“１”とすべきかの閾値電圧を作成し、プリアンプ８１出力の電圧信号から“０”、“１”のデータ列となるように、メインアンプ８２に閾値電圧を１／２分割器８６から入力する。メインアンプ８２の出力は“０”、“１”データ列になっているが、有効データ列作成部４３で動作可能なインタフェースとする必要がある。それが出力バッファ８３である。
【００７２】
受信識別信号ＲＤについて見ると、ピーク検出部８４での“１”レベルの検出結果である電圧値をメインアンプ８７に入力し、その電圧値があらかじめ定めた一定レベルを示す閾値電圧を、電圧制御部８９からメインアンプ８７に入力し、ピーク検出部８４からの電圧値が閾値を超えている場合にメインアンプ８７から信号が出力され、後段のロジック部で動作可能なインタフェースとするための出力バッファ８７−１から受信識別信号ＲＤが出力される。
【００７３】
また、ＭＤＬの構成上、受信レベルによって受信識別信号を出力するまでに遅延が発生する場合には、あらかじめ、遅延量に応じた複数の閾値を電圧制御部８９からメインアンプ（８８−ａ１，８８−ａｎ）に入力しておいて、ピーク検出部８４からの電圧値が閾値を超えた場合に、メインアンプ（８８−ａ１〜ａｎ）から信号を出力させる構成をとる。この信号をもとに例えばＲＯＭで構成されたテーブル８８をひくことで、立ち上がり情報ＩＲが出力される。なお、テーブル８８をひく場合に、動作可能なインタフェースとするために出力バッファ（８８−ｂ１〜ｂｎ）を設けている。
【００７４】
【発明の効果】
以上詳しく説明したように本発明によれば、バースト受信部１０自体からその特性上不可避的に生ずるノズルが発生しても、そのバースト受信部１０の後段に接続されるバースト受信／同期回路２０において、そのノイズに影響されることなく、ビット同期をとることができ、バースト受信装置の正確なリタイミング動作が保証される。
【図面の簡単な説明】
【図１】バースト受信装置の入力および出力信号であって、（Ａ）は理想的な場合、（Ｂ）は実際的な場合を示す信号パターン図である。
【図２】本発明に基づく受信方法の基本ステップを表すフローチャートである。
【図３】本発明に係る受信方法を図解的に表す信号パターン図である。
【図４】本発明に係る受信方法を図解的に示す別の信号パターン図である。
【図５】バースト伝送上考え得る第１の障害が発生した場合の信号パターン図である。
【図６】図５に示す第１の障害に対処する本発明の方法を説明する信号パターン図である。
【図７】バースト伝送上考え得る第２の障害が発生した場合の信号パターン図である。
【図８】図７に示す第２の障害に対処する本発明の方法を説明する信号パターン図である。
【図９】受信識別信号についての問題を説明するための信号パターン図である。
【図１０】図９に表した問題を解決する本発明の方法を説明するための信号パターン図である。
【図１１】受信識別信号に関する別の問題を説明するための信号パターン図である。
【図１２】図１１に表した問題を解決する本発明の方法を説明するための信号パターン図である。
【図１３】バースト受信装置における第３の障害およびこれを解消する本発明の方法を説明する信号パターン図である。
【図１４】バースト受信装置における第４の障害およびこれを解消する本発明の方法を説明する信号パターン図である。
【図１５】異常状態ではない場合の図１４の信号パターン図である。
【図１６】本発明に基づくバースト受信装置の一実施例を示すブロック図である。
【図１７】図１６に示す実施例の具体的構成例を示す回路図である。
【図１８】図１７に示すバースト信号処理部４５の要部を表す図（その１）である。
【図１９】図１７に示すバースト信号処理部４５の要部を表す図（その２）である。
【図２０】図１７に示す有効データ列作成部４３の詳細例を表す図である。
【図２１】図１７に示す受信識別信号適正化部４２の詳細例を示す図である。
【図２２】図１７に示す受信識別信号保護部４１の詳細例を示す図である。
【図２３】図１７に示す警報検出手段３３の具体例を示す図である。
【図２４】図１７に示すバースト受信部１０の具体例を示す図である。
【図２５】バースト受信装置が適用されるシステム全体の一例を表す図である。
【図２６】バースト伝送の様子を図解的に表す図である。
【図２７】一般的なバースト受信装置の一例を示すブロック図である。
【符号の説明】
１…バースト受信装置。
２…局
５…加入者端末
１０…バースト受信部
２０…バースト受信／同期回路
２１…サンプリング部
２２…エッジ検出部
２３…最適位相検出部
２４…保護段
２５…セレクタ
３１…受信識別信号生成手段
３２…マスク手段
３３…警報検出手段
４１…受信識別信号保護部
４２…受信識別信号適正化部
４３…有効データ列作成部
４４…立ち上がり時間検出部
４５…バースト信号処理部
６４…ＡＮＤ回路
ＯＳ…光信号
ＮＳ…ノイズ
ＤＢ…異常デューティビット
ＲＤ…受信識別信号
ＭＫ…マスク信号
ＩＲ…立ち上がり情報
ＲＳＴ…リセット
Ｗ…ウィンドウ
Ｂｏｕｔ  …出力バースト受信データ
Ｄｉｎ…バースト受信データ
Ｄｏｕｔ  …再生データ
ＣＬＫｍ  …マスタークロック
【図１】
0003618283.tif 000002
【図２】
0003618283.tif 000003
【図３】
0003618283.tif 000004
【図４】
0003618283.tif 000005
【図５】
0003618283.tif 000006
【図６】
0003618283.tif 000007
【図７】
0003618283.tif 000008
【図８】
0003618283.tif 000009
【図９】
0003618283.tif 000010
【図１０】
0003618283.tif 000011
【図１１】
0003618283.tif 000012
【図１２】
0003618283.tif 000013
【図１３】
0003618283.tif 000014
【図１４】
0003618283.tif 000015
【図１５】
0003618283.tif 000016
【図１６】
0003618283.tif 000017
【図１７】
0003618283.tif 000018
【図１８】
0003618283.tif 000019
【図１９】
0003618283.tif 000020
【図２０】
0003618283.tif 000021
【図２１】
0003618283.tif 000022
【図２２】
0003618283.tif 000023
【図２３】
0003618283.tif 000024
【図２４】
0003618283.tif 000025
【図２５】
0003618283.tif 000026
【図２６】
0003618283.tif 000027
【図２７】
0003618283.tif 000028